(57)【要約】【課題】交換作業にて生ずる切り粉の拡散を、効果的に抑制できる炉内構造物の交換方法ならびに切断装置を提供すること。【解決手段】この炉内構造物の交換方法では、まず、ＵＣＩフランジ２２ａに貫通孔２２ｃを設ける。そして、この貫通孔２２ｃに吊具３７を挿通し、ＵＣＩフランジ２２ａに接合されるＬＣＩフランジ２１ａに吊具３７を固定してこの吊具３７によりＵＣＩ２１とＬＣＩ２２とを一時に引き揚げる。ここで、貫通孔２２ｃは、切削により設けられ、この切削にあたり、フランジ２１ａ、２２ａの接合面間の隙間から外部への切り粉の拡散を防止する拡散防止カバー２８を設ける。【選択図】      図３
2004251760.tif 000002
【特許請求の範囲】
【請求項１】
上部炉内構造物のフランジに貫通孔を設ける貫通孔形成ステップと、
前記貫通孔に吊具を挿通すると共に、前記上部炉内構造物のフランジに接合される下部炉内構造物のフランジに前記吊具を固定して、当該吊具により上部炉内構造物と下部炉内構造物とを一時に引き揚げる引揚ステップとを含み、且つ、
前記貫通孔が切削により設けられると共に、当該切削にあたり、前記上部炉内構造物のフランジと前記下部炉内構造物フランジとの接合面間の隙間から外部への切り粉の拡散を防止する拡散防止手段を設ける炉内構造物の交換方法。
【請求項２】
前記拡散防止手段が、前記接合面間の隙間に介在して、当該隙間のうち前記貫通孔を設ける位置より外縁側を遮蔽する遮蔽手段である請求項１に記載の炉内構造物の交換方法。
【請求項３】
前記拡散防止手段が、前記下部炉内構造物のフランジ上に既設された突起物にて位置決めされる請求項１または２に記載の炉内構造物の交換方法。
【請求項４】
上部炉内構造物のフランジに貫通孔を設ける貫通孔形成ステップと、
前記貫通孔に吊具を挿通すると共に、前記上部炉内構造物のフランジに接合される下部炉内構造物のフランジに前記吊具を固定して、当該吊具により上部炉内構造物と下部炉内構造物とを一時に引き揚げる引揚ステップと、
を含む炉内構造物の交換方法。
【請求項５】
原子炉の炉内構造物が有する突起物を切断する切断手段と、
切断された前記突起物を保持して回収する保持手段とを含み、且つ、
前記切断手段が前記保持手段に対して位置決めされた状態にて、前記切断手段と前記保持手段とが単一のロッドにより支持されて成る切断装置。
【請求項６】
前記保持手段が、前記ロッドの略先端に設けられる請求項５に記載の切断装置。
【請求項７】
さらに、前記切断手段に対して位置決めされた状態にて、前記ロッドに支持されると共に、前記切断により生ずる切り粉を吸引する吸引手段を含む請求項５または６に記載の切断装置。
【請求項８】
請求項５〜７のいずれか１つに記載の切断装置を用いて、原子炉の炉内構造物が有する突起物を切断する切断ステップと、
前記炉内構造物を原子炉容器から引き揚げて保管容器に収納する収納ステップと、
を含む炉内構造物の交換方法。
【発明の詳細な説明】
【０００１】
【発明の属する技術分野】
この発明は、炉内構造物の交換方法ならびに切断装置に関し、更に詳しくは、交換作業にて生ずる切り粉の拡散を、効果的に抑制できる炉内構造物の交換方法ならびに切断装置に関する。
【０００２】
【従来の技術】
加圧水型原子炉などの原子炉は、核燃料を支持等する炉内構造物を原子炉容器内に収容して構成される。従来の原子炉は、恒久的な構造物として設計されていたため、炉内構造物は、メンテナンスにあたり、せいぜいボルト等の部品交換のみが行われていた。しかしながら、近年、原子炉の高い安全性を確保する観点から、老朽化した炉内構造物全体を新規のものに交換すべき要請がある。なお、炉内構造物の交換に関する技術には、特許文献１に記載される技術があるが、かかる交換方法は、未だ世界的にも実施されていない。
【０００３】
【特許文献】
特願２００２００４０３号
【０００４】
【発明が解決しようとする課題】
ここで、炉内構造物の交換作業では、切削作業や切断作業により切り粉が生じるが、かかる切り粉が拡散して原子炉容器内やキャビティ内に残留すると、原子炉の運転に種々の悪影響を及ぼすおそれがある。
【０００５】
そこで、この発明は、上記に鑑みてなされたものであって、交換作業にて生ずる切り粉の拡散を、効果的に抑制できる炉内構造物の交換方法ならびに切断装置を提供することを目的とする。
【０００６】
【課題を解決するための手段】
上記の目的を達成するために、この発明にかかる炉内構造物の交換方法は、上部炉内構造物のフランジに貫通孔を設ける貫通孔形成ステップと、前記貫通孔に吊具を挿通すると共に、前記下部炉内構造物のフランジに接合される上部炉内構造物のフランジに前記吊具を固定して、当該吊具により上部炉内構造物と下部炉内構造物とを一時に引き揚げる引揚ステップとを含み、且つ、前記貫通孔が切削により設けられると共に、当該切削にあたり、前記上部炉内構造物のフランジと前記上部炉内構造物のフランジとの接合面間の隙間から外部への切り粉の拡散を防止する拡散防止手段を設ける。
【０００７】
この発明では、上部炉内構造物のフランジに貫通孔を切削して設けるにあたり、上部炉内構造物のフランジと下部炉内構造物のフランジとの接合面間の隙間から外部への切り粉の拡散を防止する拡散防止手段を設ける。これにより、周囲への切り粉の拡散を防止できるので、原子炉内での切り粉の残留を防止できる利点がある。なお、上部炉内構造物とは原子炉容器内に収容される炉内構造物の上側部分をいい、下部炉内構造物とは原子炉容器内に収容される炉内構造物の下側部分をいうものとする。また、貫通孔は、上部炉内構造物のフランジが有する既存の貫通孔やボルト穴等を切削により拡径して設けてもよいし、上部炉内構造物のフランジに新たに切削して設けてもよい。また、吊具の固定手段は、特に限定がなく、下部炉内構造物のフランジが有する既存のボルト穴やフックを用いてもよいし、吊具を係留する吊りピースその他の係留手段を新たに設けてもよい。
【０００８】
また、この発明にかかる炉内構造物の交換方法は、前記拡散防止手段が、前記接合面間の隙間に介在して、当該隙間のうち前記貫通孔を設ける位置より外縁側を遮蔽する遮蔽手段である。
【０００９】
この発明では、遮蔽手段を、上部炉内構造物のフランジと下部炉内構造物のフランジとの接合面間の隙間に介在させて、この隙間のうち貫通孔を設ける位置より外縁側を遮蔽する。これにより、貫通孔の外縁側の隙間を遮蔽できるので、この隙間から外部への切り粉の拡散を防止できる利点がある。なお、遮蔽手段には、例えば、シート状部材や板状部材が含まれる。
【００１０】
また、この発明にかかる炉内構造物の交換方法は、前記拡散防止手段が、前記下部炉内構造物のフランジ上に既設された突起物にて位置決めされる。
【００１１】
この発明では、拡散防止手段を位置決めするにあたり、下部炉内構造物のフランジ上に既設された突起物を用いる。これにより、拡散防止手段を簡易に位置決めできる利点がある。突起物には、例えば、フローノズルが含まれる。
【００１２】
また、この発明にかかる炉内構造物の交換方法は、上部炉内構造物のフランジに貫通孔を設ける貫通孔形成ステップと、前記貫通孔に吊具を挿通すると共に、前記上部炉内構造物のフランジに接合される下部炉内構造物のフランジに前記吊具を固定して、当該吊具により上部炉内構造物と下部炉内構造物とを一時に引き揚げる引揚ステップとを含む。
【００１３】
炉内構造物の交換では、交換対象である老朽化した上部炉内構造物および下部炉内構造物を原子炉容器内から引き揚げ、これらを単一の保管容器に収納した後に、新規の上部炉内構造物および下部炉内構造物を設置する方法が計画されている。しかしながら、従来の炉内構造物は、かかる交換を考慮して設計されていないため、上部炉内構造物および下部炉内構造物は、一時に引き揚げるための構造を有していない。そこで、この発明では、上部炉内構造物のフランジに貫通孔を設け、吊具をこの貫通孔に挿通して下部炉内構造物のフランジに固定し、この吊具により上部炉内構造物と下部炉内構造物とを引き揚げる。これにより、既存の上部炉内構造物および下部炉内構造物を一時に引き揚げて保管容器に収納できる利点がある。
【００１４】
また、この発明にかかる切断装置は、原子炉の炉内構造物が有する突起物を切断する切断手段と、切断された前記突起物を保持して回収する保持手段とを含み、且つ、前記切断手段が前記保持手段に対して位置決めされた状態にて、前記切断手段と前記保持手段とが単一のロッドにより支持されて成る。
【００１５】
この発明では、切断手段を保持手段に対して位置決めし、この位置決めした状態にて、切断手段と保持手段とを単一のロッドで支持されて成る。これにより、ロッドの位置を調整して保持手段により突起物を保持すれば、一義的に切断手段の位置決めを為し得るので、突起物の切断作業を迅速化できる利点がある。
【００１６】
また、この発明にかかる切断装置は、前記保持手段が、前記ロッドの略先端に設けられる。
【００１７】
この発明では、保持手段を、ロッドの略先端に設ける。これにより、ロッドの先端から離れた位置に保持手段を設ける場合と比較して、保持手段の位置合わせが容易となり、切断装置の操作性が向上して切断作業を効率化できる利点がある。
【００１８】
また、この発明にかかる切断装置は、さらに、前記切断手段に対して位置決めされた状態にて、前記ロッドに支持されると共に、前記切断により生ずる切り粉を吸引する吸引手段を含む。
【００１９】
この発明では、さらに、吸引手段を切断手段に対して位置決めし、この位置決めした状態にて、切断手段と吸引手段とを単一のロッドで支持する。これにより、切断手段と吸引手段とをそれぞれ異なるロッドで保持する場合と比較して、これらの位置関係を的確に規制して切り粉を効率的に回収できるので、切り粉の拡散を効果的に抑止できる利点がある。
【００２０】
また、この発明にかかる炉内構造物の交換方法は、上記切断装置を用いて、原子炉の炉内構造物が有する突起物を切断する切断ステップと、前記炉内構造物を原子炉容器から引き揚げて保管容器に収納する収納ステップとを含む。
【００２１】
この発明では、上記切断装置を用いて炉内構造物の突起物を切断するので、その切断作業を迅速化できる。また、突起物を切除して炉内構造物を小型化した後に、炉内構造物を原子炉容器から引き揚げて保管容器に収納するので、保管容器を小型化してその搬出を容易にできる利点がある。
【００２２】
【発明の実施の形態】
以下、この発明につき図面を参照しつつ詳細に説明する。なお、この実施の形態によりこの発明が限定されるものではない。また、以下に示す実施の形態の構成要素には、当業者が置換可能かつ容易なもの、或いは実質的同一のものが含まれる。
【００２３】
図１は、この発明が適用される原子炉の一例を示す構成図であり、図２は、図１に記載した原子炉容器および炉内構造物を示す側面断面図である。この原子炉は、原子炉容器１０と、この原子炉容器１０に収容される炉内構造物２０とを含み構成される。原子炉容器１０は、原子炉容器本体１１と、この原子炉容器本体１１の上部に着脱可能に設置される原子炉容器蓋１２とを含み構成され、原子炉容器本体１１をキャビティ３０の底部に埋設されて設置される。交換対象である炉内構造物２０は、上部炉内構造物（以下、ＵＣＩという。）２１と、下部炉内構造物（以下、ＬＣＩという。）２２とを含み構成され、原子炉容器本体１１内に設置されている。なお、ＵＣＩ２１とＬＣＩ２２とは、そのフランジ２１ａ、２２ａ間に押さえリング２５を挟み込み接合される（図２参照）。
【００２４】
キャビティ３０内には、ＵＣＩ２１およびＬＣＩ２２を仮置きするスタンド３１、３２がそれぞれ設置され、また、通常状態では、このキャビティ３０内には、水Ｗが張られておらず、原子炉容器１０の定期検査時などにおいて水Ｗが張られる。この水Ｗは、放射能汚染された水である。また、キャビティ３０上方には、作業員が行き来できる足場３５が組まれ、この足場３５上には、クレーン３６が設置される。炉内構造物２０の交換作業は、作業員の被爆を低減する観点から専らこの足場３５上から行われ、その多くが遠隔作業となる。また、交換手順の概略は、まず、キャビティ３０内に水Ｗを張り、原子炉容器蓋１２を取り外し、クレーン３６を用いて老朽化した炉内構造物２０を原子炉容器本体１１内から引き揚げ、これを保管容器（図示省略）内に収納した後、新規の炉内構造物を原子炉容器１０内に据え付ける工程から成る。この工程中にて、後述するＵＣＩフランジ２１ａの切削（実施の形態１）や、フローノズル２７の切断（実施の形態２）が行われる。
【００２５】
（実施の形態１）
図３は、図２に記載したＵＣＩ２１とＬＣＩ２２との接合部を示す拡大側面図（ａ）および拡大平面図（ｂ）である。ＵＣＩ２１とＬＣＩ２２とは、ＵＣＩフランジ２１ａとＬＣＩフランジ２２ａとの間に金属製の押さえリング２５を挟み込み接合され、この押さえリング２５の厚みにより、フランジ２１ａ、２２ａ間に僅かな隙間ｇを有する。また、ＵＣＩフランジ２１ａとＬＣＩフランジ２２ａとは、それぞれ上面側に複数のボルト穴２１ｂ、２２ｂを有する。これらのボルト穴２１ｂ、２２ｂは、炉内構造物２０の新規据え付け時にて、吊具をＵＣＩ２１およびＬＣＩ２２に固定するために設けられる。また、据え付けに用いる吊具は、ＵＣＩ２１とＬＣＩ２２とで同一のものを用いるため、フランジ２１ａ、２２ａのボルト穴２１ｂ、２２ｂは、フランジ２１、２２相互間にて、平面的に略同位置に設けられる。すなわち、ＬＣＩフランジ２２ａのボルト穴２１ｂは、ＵＣＩフランジ２１ａのボルト穴２２ｂの真下に位置する（図３（ａ）参照）。
【００２６】
また、フランジ２１ａ、２２ａ間の隙間ｇには、矩形状を有する薄型金属板から成ると共にボルト穴２１ｂ、２２ｂの近傍を囲う拡散防止カバー２８が設置される。拡散防止カバー２８は、フランジ２１ａ、２２ａの接合面間に介在して、ボルト穴２１ｂ、２２ｂより外縁側の隙間ｇを遮蔽する衝立として機能する。また、拡散防止カバー２８は、その両端部をコの字状の留め金２９、２９によりフローノズル２７、２７に固定されて位置決めされる。フローノズル２７は、本来、原子炉上部を冷却する機能を有し、ＬＣＩフランジ２２ａ上に所定間隔にて複数設けられる。このフローノズル２７に拡散防止カバー２８を固定すると、拡散防止カバー２８の設置および位置決めが容易となる利点がある。また、このフローノズル２７は、多くの原子炉のＬＣＩに既設されているため、かかる拡散防止カバー２８の設置態様は、他の原子炉での炉内構造物の交換工程にも適用でき、汎用性が高いという利点もある。なお、拡散防止カバー２８およびその留め金２９の材質、形状、固定方法等については、特に限定がなく、当業者自明の範囲内にて適宜選択し得る。
【００２７】
図４および図５は、この発明の実施の形態１にかかる炉内構造物の交換方法の要部を示す説明図である。炉内構造物２０の交換工程では、まず、ＵＣＩフランジ２１ａのボルト穴２１ｂをドリルにより切削して拡径し、クレーン３６の吊具３７を挿通させ得る貫通孔２１ｃを形成する（図４参照）。このとき、拡散防止カバー２８は、切削により生じた切り粉の拡散を抑制し、切り粉がフランジ２１ａ、２２ａ間の隙間ｇから外部に飛散する事態を防止する。特に、ＵＣＩフランジ２１ａの切削を、炉内構造物２０が原子炉容器１０内に設置された状態にて行う場合には、切り粉が飛散して炉内構造物２０と原子炉容器１０との間に入り込み、炉内構造物２０を引き揚げたときに原子炉容器１０内に切り粉が残留するという問題点がある。この点において、上記拡散防止カバー２８を設ければ、切り粉の飛散経路を効果的に遮断できるので、かかる事態を未然に防止できる利点がある。
【００２８】
次に、設けた貫通孔２１ｃにクレーン３６の吊具３７を上方から挿通して、ＵＣＩフランジ２２ａのボルト穴２２ｂにボルト締めして固定する（図５参照）。そして、ＵＣＩ２１とＬＣＩ２２とをクレーン３６により原子炉容器本体１１内から一時に引き揚げる。その後、ＵＣＩ２１およびＬＣＩ２２は、接合されたまま使用済み炉内構造物２０を保管する保管容器（図示省略）内に収容され、炉内構造物２０内に溜まった切り粉は、作業員により取り除かれる。かかる一連の引き揚げ工程によれば、交換を前提とせずに設計された炉内構造物２０であっても、一時に引き揚げて保管容器内に収納できる利点がある。また、一時に引き揚げられる利点として、炉内構造物２０の交換作業にかかる工期を短縮化できる利点がある。特に、原子力発電が我が国の需要電力の約３０％を担っている実状を考慮すれば、原子力プラントの運転停止による産業界の不利益は計り知れない。この点において、交換作業にかかる工期を短縮化できる利点は、一般のメンテナンス事業に比して極めて重要である。
【００２９】
なお、この実施の形態１では、貫通孔２１ｃの形成を気中で行う。すなわち、切削にあたり、キャビティ３０内の水Ｗを排出してＵＣＩフランジ２１ａを切削するが、これは、切削加工を安価な工具にて実施できる点で好ましい。しかし、これに限らず、貫通孔２１ｃの形成を水中にて行っても良い。また、この実施の形態１では、ＵＣＩ２１の新規据え付け時に設けたボルト穴２１ｂを貫通させて拡径し、吊具３７を挿通する貫通孔２１ｃを設けた。これは、ＵＣＩフランジ２１ａのボルト穴２１ｂがＬＣＩフランジ２２ａのボルト穴２２ｂに対して平面的に略同位置にあるため、ここに貫通孔２１ｃを設ければ、ＬＣＩフランジ２２ａのボルト穴２２ｂを直接利用して吊具３７を固定できる点で好ましい。しかし、これに限らず、貫通孔２１ｃをＵＣＩフランジ２１ａ上の任意の位置に、新規に設けても良い。
【００３０】
（実施の形態２）
炉内構造物２０の交換工程は、原子炉容器１０から引き揚げた炉内構造物２０を保管容器に収納し、この保管容器を原子炉内から外部に搬出する工程を含む。ここで、既存の原子炉は、上述のように炉内構造物２０の交換作業を考慮した設計がなされていないため、保管容器の搬出は、原子炉内に保管容器を搬出するための通路を事後的に設け、この通路を経由して行われる。しかしながら、既存の原子力プラントは、十分な広さの通路を設け得るスペースを有しないため、上記交換工程にあたっては、保管容器を極力小型化して、狭い通路にて保管容器を搬出できるようにする必要がある。そこで、炉内構造物２０の交換工程では、ＬＣＩフランジ２２ａが有するフローノズル２７等の突起物を事前に切除して、炉内構造物２０を小型化する工程が含まれる。これにより、保管容器を小型化して、その搬出を容易にできる利点がある。なお、炉内構造物２０の交換は、未だ実施されておらず、交換にかかる上記工法、課題および解決手段は、発明者らが非公開にて発案、検討し、計画しているものである。
【００３１】
図６は、この発明の実施の形態２にかかる切断装置を示す要部断面図である。図７は、図６に記載した切断装置の使用状況を示す平面図（ａ）および側面図（ｂ）である。これらの図において、上記実施の形態１と同一の構成要素には同一の符号を付し、その説明を省略する。この切断装置４０は、本体４１と、切断部５０と、保持部６０と、吸引部７０とを含み構成される。本体４１は、クランプ爪４２を有し、このクランプ爪４２をクランプ用シリンダー４３により変位させてＬＣＩフランジ２２ａを上方から挟み込み、切断装置４０の位置を固定する。切断部５０は、円盤カッター５１と、送り機構５２とを含み構成される。円盤カッター５１は、突起物２７の側方に配置され、回転用モータ（図示省略）により水平方向に回転して、これらの突起物２７を切断する。送り機構５２は、円盤カッター５１を、送り用モータ５２ａによりガイドレール５２ｂに沿って左右方向に進退変位させ、突起物２７の切断位置まで送る。保持部６０は、筒状部６１に突起物２７の突出部分をくわえ込み、チャック用シリンダー６２により爪６３を出し入れして突起物２７を保持する。吸引部７０は、突起物２７の切断により生ずる切り粉を吸引するバキューム７１と、切断位置を覆うフード７１とを備え、このフード７１にて切り粉の拡散を防止しつつ、バキューム７１により切り粉を吸引して回収する。
【００３２】
これらの切断部５０、保持部６０および吸引部７０は、切断装置４０の本体４１上に相互に位置決めして設けられ、保持部６０により突起物２７を保持した状態にて、切断部５０と吸引部７０とが上記機能を発揮できるように配置される。具体的には、保持部６０が突起物２７の上部を保持した状態にて、円盤カッター５１とバキューム７１とが突起物２７の略付け根の側方に位置し、フード７１がこの付け根の周囲を囲うように構成される。これにより、保持部６０にて突起物２７を保持すれば、一義的に切断部５０および吸引部７０が好適な位置に配置されるので、切断により生ずる切り粉の拡散を抑制し、この切り粉を確実に回収できる利点がある。特に、原子炉内では、切り粉のような異物の残留を極力排除すべき要請があるため、一般の切断作業と比較して、より確実に切り粉を回収する必要がある。この点において、この切断装置４０は、原子炉内での切断作業にあたり特に好適である。なお、切断装置４０は、保持部６０により突起物２７を保持し、切断部５０および吸引部７０の位置を確定させた後にクランプ爪４２を作動させて、ＬＣＩフランジ２２ａ上に固定される。
【００３３】
また、この切断装置４０は、一本のロッド４５により支持される。すなわち、この切断装置４０では、単一のロッド４５にて切断部５０、保持部６０および吸引部７０の配置を操作する。これにより、複数のロッドで、これらをそれぞれ操作する一般の切断装置（図示省略）と比較して、狭いスペースでの作業が可能となる利点がある。特に、国内の原子力プラントでは、広さに十分な余裕を持った設計がなされていないため、キャビティ３０上方に設置できる足場３５の大きさも限られている（図１および図７（ａ）参照）。したがって、作業スペースが勢い狭くなり、切断作業も足場３５の狭い作業口３８から行われるため（図７（ｂ）参照）、作業スペースを小さくできる利点は極めて重要である。
【００３４】
また、この切断装置４０は、ロッド４５の先端部を、保持部６０の筒状部６１に真上から固定して成る（図６参照）。これにより、ロッド４５を、保持部６０から離れた他の位置に設ける場合と比較して、保持部６０を突起物２７に合わせる作業が容易となる利点がある。また、この切断装置４０では、突起物２７を保持部５０にて保持すれば、一義的に切断部５０および吸引部７０が位置決めされるので、保持部６０の位置合わせを簡易に行えて、切断作業を効率化できる利点がある。特に、突起物２７の切断作業は、ＬＣＩフランジ２２ａ全周に渡って行われ、且つ、切断対象は、フローノズル２７だけでも３０本近く存在する。そして、炉内構造物２０の交換作業において、工期を短縮化できる利点が一般のメンテナンス事業に比して極めて重要である点に鑑みれば、切断作業を効率化できる本切断装置４０は、高い実用性を有する。なお、切断装置４０は、ロッド４５の上端部にて上方のクレーン３６に吊り下げられて設置される。また、切断作業は、ＬＣＩ２２を、キャビティ３０内のスタンド３１に仮置きして行われる（図１および図７（ｂ）参照）。
【００３５】
【発明の効果】
以上説明したように、この発明にかかる炉内構造物の交換方法によれば、上部炉内構造物のフランジに貫通孔を切削して設けるにあたり、上部炉内構造物のフランジと下部炉内構造物のフランジとの接合面間の隙間から外部への切り粉の拡散を防止する拡散防止手段を設けるので、周囲への切り粉の拡散を防止でき、原子炉内での切り粉の残留を防止できる利点がある。
【００３６】
また、この発明にかかる炉内構造物の交換方法では、上部炉内構造物のフランジに貫通孔を設け、吊具をこの貫通孔に挿通して下部炉内構造物のフランジに固定し、この吊具により上部炉内構造物と下部炉内構造物とを引き揚げるので、既存の上部炉内構造物および下部炉内構造物を一時に引き揚げて保管容器に収納できる利点がある。
【００３７】
また、この発明にかかる切断装置は、切断手段を保持手段に対して位置決めし、この位置決めした状態にて、切断手段と保持手段とを単一のロッドで支持されて成るので、ロッドの位置を調整して保持手段により突起物を保持すれば、一義的に切断手段の位置決めを為し得るので、突起物の切断作業を迅速化できる利点がある。
【００３８】
また、この発明にかかる炉内構造物の交換方法では、上記切断装置を用いて炉内構造物の突起物を切断するので、その切断作業を迅速化できる。また、突起物を切除して炉内構造物を小型化した後に、炉内構造物を原子炉容器から引き揚げて保管容器に収納するので、保管容器を小型化してその搬出を容易にできる利点がある。
【図面の簡単な説明】
【図１】この発明が適用される原子炉の一例を示す構成図である。
【図２】図１に記載した原子炉容器および炉内構造物を示す側面断面図である。
【図３】図２に記載したＵＣＩ２１とＬＣＩ２２との接合部を示す拡大側面図（ａ）および拡大平面図（ｂ）である。
【図４】この発明の実施の形態１にかかる炉内構造物の交換方法の要部を示す説明図である。
【図５】この発明の実施の形態１にかかる炉内構造物の交換方法の要部を示す説明図である。
【図６】この発明の実施の形態２にかかる切断装置を示す要部断面図である。
【図７】図６に記載した切断装置の使用状況を示す平面図（ａ）および側面図（ｂ）である。
【符号の説明】
１０      原子炉容器
２０      炉内構造物
２８      拡散防止カバー
４０      切断装置
【図１】
2004251760.tif 000003
【図２】
2004251760.tif 000004
【図３】
2004251760.tif 000005
【図４】
2004251760.tif 000006
【図５】
2004251760.tif 000007
【図６】
2004251760.tif 000008
【図７】
2004251760.tif 000009